(57)【要約】【課題】人の存在または動きを検知し、素早く集塵気流を生成し人の活動により発生する塵埃を迅速かつ効率よく回収できる室内用集塵装置を提供する。【解決手段】集塵気流１０により移動する塵埃を回収する集塵手段８と、室内に複数配置されると共に前記集塵手段８と互いに連携して動作することで前記室内全体に前記集塵気流１０を発生させる送風手段７ａ〜７ｃと、人の存在または動きを検知する人検知手段８ａと、前記人検知手段８ａの検知状態に応じて、前記送風手段７ａ〜７ｃと前記集塵手段８を制御する制御手段９とを備えたもので、人検知手段８ａにより人の動きを検知して集塵気流１０を生成するので、人の活動によって発生する塵埃の検知から集塵気流１０の生成を素早く行い、この集塵気流１０によって集塵手段８へ塵埃を集めて集塵することができる。【選択図】図１
2010247007.tif 000002
【特許請求の範囲】
【請求項１】
集塵気流により移動する塵埃を回収する集塵手段と、室内に複数配置されると共に前記集塵手段と互いに連携して動作することで前記室内全体に前記集塵気流を発生させる送風手段と、人の存在または動きを検知する人検知手段と、前記人検知手段の検知状態に応じて、前記送風手段と前記集塵手段を制御する制御手段とを備えた室内用集塵装置。
【請求項２】
制御手段は、人検知手段の検知状態に応じて集塵手段の動作時間を変更する請求項１に記載の室内用集塵装置。
【請求項３】
制御手段は、第１の所定時間内の人検知手段の検知回数に応じて集塵手段の動作時間を変更する請求項１または２に記載の室内用集塵装置。
【請求項４】
制御手段は、人検知手段の検知により、集塵手段と送風手段を動作させた後、所定の動作禁止時間の間、前記集塵手段と前記送風手段の動作を休止する請求項１〜３の何れか１項に記載の室内用集塵装置。
【請求項５】
制御手段は、人検知手段の検知状態に応じて所定の動作禁止時間を変更する請求項４に記載の室内用集塵装置。
【請求項６】
少なくとも一つの送風手段と集塵手段のそれぞれに、塵埃の量を検知する塵埃検知部を配し、制御手段は、前記塵埃検知部で検知された塵埃の量に応じて、前記集塵手段と前記送風手段を制御する請求項５に記載の室内用集塵装置。
【請求項７】
制御手段は、送風手段と集塵手段の動作休止中に塵埃検知部で検知した塵埃の量が所定量以上の場合に、前記送風手段と前記集塵手段を再動作させる請求項６に記載の室内用集塵装置。
【請求項８】
請求項１〜７のいずれか１項に記載の室内用集塵装置の各手段の全てもしくは一部の機能をコンピュータに実施させるためのプログラム。
【発明の詳細な説明】
【技術分野】
【０００１】
本発明は、室内に気流を発生させ塵埃を集塵手段へ集めて清掃を行う室内用集塵装置及び室内用集塵装置を機能させるためのプログラムに関するものである。
【背景技術】
【０００２】
従来、この種の室内用集塵装置としては、例えば、送風手段と、集塵手段と、上方に空気を排気する排気口を有すると共に室内の隅に置かれ、前記排気口からの排気風によって室内を循環する集塵気流を発生させ、塵埃を集塵手段に集めるようにした物があった（例えば、特許文献１参照）。
【０００３】
図６は、前記特許文献１に記載された従来の室内用集塵装置を設置した室内空間を側方から見た図である（下側が床面で、上側が天井面）。
【０００４】
図６において、従来の室内用集塵装置１は、送風装置２を内蔵し、前面には、吸気口３が、上方には、排気口４がそれぞれ設けられている。室内用集塵装置１は、室内の隅に置かれており、排気口４から排気された空気は、室内を循環する集塵気流５を発生させる。集塵気流５は、部屋の壁面に沿って上方に流れた後に天井に沿って流れる。さらに室内用集塵装置１と対向する壁面に沿って流れ、そして床面に沿って流れて室内用集塵装置１の吸気口３へと吸気される。この集塵気流５によって塵埃が室内用集塵装置１へと集められる。
【０００５】
また、一般的な室内用集塵装置として使用される家庭用空気清浄機は、塵埃検知手段を有し、塵埃を検知して空気清浄機本体の動作時の吹き出し風量を制御しているものが多く見られる。
【特許文献１】特公平６−２４６４１号公報
【発明の開示】
【発明が解決しようとする課題】
【０００６】
しかしながら、前記特許文献１に記載された従来の室内用集塵装置の本体に、家庭用空気清浄機に用いられた塵埃検知手段を搭載し、塵埃が検知されたときに室内用集塵装置が自動的に運転を行うようにした場合、本体から離れた場所での塵埃を検知し、素早く塵埃を集塵することが困難であった。つまり部屋の中で塵埃が発生し、その塵埃が室内用集塵装置の本体で検知されるまで時間を要し、例えば、この間に床に落下してしまった塵埃を本体で集塵するのは困難になるという課題があった。
【０００７】
一般的に、部屋の中での塵埃（特に綿ぼこり）の発生は、人の活動が主要因であると言われている。人の活動により絨毯のむだ毛や床の塵埃を巻き上げたり、人の衣服から発生する綿ぼこりが多くを占めているわけである。このように、従来の室内用集塵装置の構成では、本体から離れた場所での塵埃の発生を検知できず、その為に集塵が出来ないか、または検知に時間がかかることで、塵埃を効果的に集塵することが困難であるという課題を有していた。
【０００８】
本発明は、上記従来の課題を解決するもので、人の存在または動きを検知して各手段を制御し素早く集塵気流を生成することで、気流の生成が遅れて発生した塵埃の大部分が床に落下してしまうことなく、塵埃の発生から素早く、かつ効果的な集塵ができる室内用集塵装置を提供することを目的とする。
【課題を解決するための手段】
【０００９】
前記従来の課題を解決するために、本発明の室内用集塵装置は、集塵気流により移動する塵埃を回収する集塵手段と、室内に複数配置されると共に前記集塵手段と互いに連携して動作することで前記室内全体に前記集塵気流を発生させる送風手段と、人の存在または動きを検知する人検知手段と、前記人検知手段の検知状態に応じて、前記送風手段と前記集塵手段を制御する制御手段とを備えたもので、人検知手段により人の動きを検知して集塵気流を生成することにより、人の活動によって発生する塵埃の検知から集塵気流の生成を素早く行い、この集塵気流によって集塵手段へ塵埃を集めて集塵することができる。
【００１０】
また、本発明の室内用集塵装置を機能させるためのプログラムは、請求項１〜７のいずれか１項に記載の室内用集塵装置の手段の全てもしくは一部としてコンピュータに機能させるためのもので、マイコンなどを用いて室内用集塵装置の一部あるいは全てを容易に実現することができ、経年変化等の特性の変化や動作を実現するための設定条件や定数の変更が柔軟に対応できる。また記録媒体に記録したり通信回線を用いてプログラムを配信したりすることでプログラムの配布が簡単に出来る。
【発明の効果】
【００１１】
本発明の室内用集塵装置は、部屋の中で人の存在または動きを検知して、送風手段、集塵手段を運転して集塵気流を生成することにより、人の活動によって発生する塵埃の検知から集塵気流の生成を素早く行い、この集塵気流によって集塵手段へ塵埃を集めて効率的に集塵することが可能になる。
【発明を実施するための最良の形態】
【００１２】
第１の発明は、集塵気流により移動する塵埃を回収する集塵手段と、室内に複数配置されると共に前記集塵手段と互いに連携して動作することで前記室内全体に前記集塵気流を発生させる送風手段と、人の存在または動きを検知する人検知手段と、前記人検知手段の検知状態に応じて、前記送風手段と前記集塵手段を制御する制御手段とを備えたもので、人検知手段により人の動きを検知して集塵気流を生成することにより、人の活動によって発生する塵埃の検知から集塵気流の生成を素早く行い、この集塵気流によって集塵手段へ塵埃を集めて集塵することができる。
【００１３】
第２の発明は、特に、第１の発明の制御手段は、人検知手段の検知状態に応じて集塵手段の動作時間を変更するもので、人の活動によって発生する塵埃の量に応じた集塵気流によって集塵手段へ塵埃を効率よく集塵することができる。
【００１４】
第３の発明は、特に、第１又は第２の発明の制御手段は、第１の所定時間内の人検知手段の検知回数に応じて集塵手段の動作時間を変更するもので、人検知手段の検知回数から人の活動の量を推定し、塵埃を集塵する集塵手段の動作時間を制御することにより、人の活動によって発生する塵埃の量に応じた集塵気流によって集塵手段へ塵埃を効率よく集めて集塵することができる。
【００１５】
第４の発明は、特に、第１〜３のいずれか１つの発明の制御手段は、人検知手段の検知により、集塵手段と送風手段を動作させた後、所定の動作禁止時間の間、前記集塵手段と前記送風手段の動作を休止するもので、人の往来により、頻繁に室内用集塵装置がオン／オフを繰り返し、起動時の騒音により使用者が不快な思いをすることなく、人の活動によって発生する塵埃を集塵気流によって集塵手段へ集めて、効率よく集塵することができる。
【００１６】
第５の発明は、特に、第４の発明の制御手段は、人検知手段の検知状態に応じて所定の動作禁止時間を変更するもので、人の往来の量に応じて、室内用集塵装置が頻繁にオン／
オフを繰り返し、起動時の騒音などにより使用者が不快な思いをすることなく、人の活動によって発生する塵埃を素早く、かつ、効果的に集塵気流によって集塵手段で集塵することができる。
【００１７】
第６の発明は、特に、第５の発明の少なくとも一つの送風手段と集塵手段のそれぞれに、塵埃の量を検知する塵埃検知部を配し、制御手段は、前記塵埃検知部で検知された塵埃の量に応じて、前記集塵手段と前記送風手段を制御するもので、複数の塵埃検知部で検知された塵埃の量に応じて集塵気流を生成し、動作させることで、発生した塵埃に迅速に対応しかつ、発生箇所に応じた集塵気流によって効果的に集塵手段で集塵することができる。
【００１８】
第７の発明は、特に、第６の発明の制御手段は、送風手段と集塵手段の動作休止中に塵埃検知部で検知した塵埃の量が所定量以上の場合に、前記送風手段と前記集塵手段を再動作させるもので、所定量以上の多くの塵埃の発生に迅速に対応しかつ、発生箇所に応じた集塵気流によって集塵手段へ効果的に集めて集塵することができる。
【００１９】
第８の発明は、特に第１から第７のいずれか１つの発明の室内用集塵装置の各手段の全てもしくは一部の機能をコンピュータに実施させるためのプログラムとすることにより、マイコンなどを用いて本発明の室内用集塵装置の制御手段の一部あるいは全てを容易に実現することができ、経年変化等の特性の変化や動作を実現するための設定条件や定数の変更が柔軟に対応できる。また記録媒体に記録したり通信回線を用いてプログラムを配信したりすることでプログラムの配布が簡単に出来る。
【００２０】
以下、本発明の実施の形態について、図面を参照しながら説明する。尚、本実施の形態によって本発明が限定されるものではない。
【００２１】
（実施の形態１）
本発明の実施の形態１における室内用集塵装置について、図１〜３を用いて説明する。図１は、本実施の形態における室内用集塵装置を設けた室内の斜視図、図２は、同室内用集塵装置のブロック図である。
【００２２】
図１において、本実施の形態における室内用集塵装置は、部屋の天井付近に設けられている複数の送風手段７ａ、７ｂ、７ｃ（送風手段７ｃは、部屋の図示していない手前の壁の上方に設定されている）と、塵埃を回収すると共に、部屋の床面付近の一角に設置または、置かれた集塵手段８から構成されている。
【００２３】
集塵手段８は、制御手段９と一体に構成され、人の存在または動きを検知する人検知手段８ａを内蔵している。制御手段９は、人検知手段８ａの出力を基に、集塵手段８と送風手段７ａ、７ｂ、７ｃを制御するものである。
【００２４】
図２に示すように、集塵手段８は、人検知手段８ａと、第１通信部８２と、制御手段９と、第１送風部８３と、集塵フィルタ８４と、吸気ガイド８５と、排気ガイド８６を備え、制御手段９は、人検知手段８ａの出力を基に、第１送風部８３を制御し、集塵手段８の外部から、集塵フィルタ８４、吸気ガイド８５を通じて外気を吸引する。
【００２５】
この際、集塵フィルタ８４により塵埃が集塵される。さらに、吸気され、集塵フィルタ８４により塵埃が濾過された空気は、排気ガイド８６を通じて室内へ排出される。また、制御手段９は、第１通信部８２を通じて、無線により送風手段７ａ〜７ｃに制御信号を送信する。送風手段７ａ〜７ｃのそれぞれは、第２通信部７１と、制御部７２と、第２送風部７３を備え、制御部７２は、制御手段９からの制御信号を、第２通信部７１を通じて受
信し、制御信号に応じて第２送風部７３を制御し、第２送風部７３の発生する風の風量、風向を変更する（風量、風向の変更の詳細は図示せず）。
【００２６】
以上のように構成された本実施の形態における室内用集塵装置について、以下その動作、作用を説明する。
【００２７】
図３は、本実施の形態における室内用集塵装置の動作フローを示す図である。
【００２８】
まず、室内用集塵装置の集塵手段８を起動すると、人検知手段８ａにより人の存在または、人の動きの有無の検知が開始される（ステップ１）。人検知手段８ａにより、人の存在または動きが検知されると、予め設定された第１の所定時間（例えば２秒間）の間、人検知手段８ａによる人の存在または動きの検知回数を計測する（ステップ２）。
【００２９】
この第１の所定時間内の人の検知回数に応じて、制御手段９は、室内用集塵装置本体の所定の動作時間と、停止後の所定の動作禁止時間を決定する（ステップ３）。例えば、第１の所定時間内に人を検知した回数が１回、２回、３回以上の場合、それぞれ所定の動作時間を３分、５分、７分、また、所定の動作禁止時間をそれぞれ３分、２分、１分と設定する。その後、制御手段９は、第１通信部８２を通じて、送風手段７ａに制御信号を送信すると共に第１送風部８３の動作を開始し、集塵手段８により外部空気の吸気が行われる。さらに送風手段７ａの制御部７２が制御手段９からの制御信号を、第２通信部７１を通じて受信し、第２送風部７３を制御し、第２送風部７３から送風を開始する（ステップ４）。
【００３０】
送風手段７ｂ、７ｃにおいても、同様に制御手段９からの指示により送風を開始する。これにより送風手段７ａ、７ｂ、７ｃと集塵手段８は、互いに発生させる気流が打ち消しあわない様に予め設定（部屋の大きさ、家具のレイアウト情報により設定）された風量及び風向で集塵気流１０を発生させる。
【００３１】
ここで、集塵気流１０と送風手段７ａ、７ｂ、７ｃの設置位置と風向について説明を行う。
【００３２】
集塵気流１０は、集塵手段８から部屋上方に排気された風が天井にあたり、その後天井に沿って部屋の集塵手段８と対向する壁に流れ、そこで壁にあたり床に向かって下降し、その後、床に沿って集塵手段８へ向かう流れとなる。
【００３３】
送風手段７ａ、７ｃは、前記集塵気流１０の天井を沿って流れるのを補助するように部屋の壁の天井付近に設置され、図１の奥側から手前に向けて送風している。また送風手段７ｂは、集塵手段８の排気風が部屋全体に広がるように図１の集塵手段８の右側に向けて送風している。
【００３４】
送風手段７ａ、７ｂ、７ｃは、設置した場所に於いて、自ら発生する気流と集塵手段８による気流とが、互いに打ち消しあわない様に部屋の大きさ、家具のレイアウト情報により予め設定された風量及び風向で動作を行う。
【００３５】
再び、図３の動作フローの説明に戻る。
【００３６】
送風手段７ａ、７ｂ、７ｃと集塵手段８による集塵気流１０の発生後、制御手段９は、ステップ３で決定した所定の動作時間が経過したか否かを判断する（ステップ５）。所定の動作時間が経過したら、送風手段７ａ、７ｂ、７ｃと集塵手段８の運転を停止させる（ステップ６）。さらに同様にステップ３で決定した所定の動作禁止時間が経過したか否か
を判断する（ステップ７）。所定の動作禁止時間が経過したら最初のステップ１の人の検知待ち動作に戻る。
【００３７】
以上のように、本実施の形態においては、人検知手段８ａにより人の存在又は人の動きを検知することで人の活動による絨毯のむだ毛や床の塵埃の巻き上げ、また、人の衣服から発生する塵埃（特に綿ぼこり）に対して素早く対応し、集塵手段８、送風手段７ａ、７ｂ、７ｃの運転が開始され、集塵気流１０を生成し、人の活動により発生する塵埃を効率的に集塵することが可能になる。
【００３８】
また、第１の所定時間内の人検知手段８ａの検知回数に応じて動作時間を変更することにより、人検知手段８ａの検知回数から人の活動の量を推定し、塵埃を集塵する集塵気流１０の生成時間を制御することで、人の活動によって発生する塵埃の量に応じた集塵気流１０による塵埃の集塵を効果的に行うことができる。
【００３９】
また、人検知手段８ａの検知により送風手段７ａ、７ｂ、７ｃと集塵手段８を動作させた後、所定の動作禁止時間の間、室内用集塵装置の動作を休止し、さらにこの休止時間も、人検知手段８ａの検知状態に応じて変更することにより、人の往来の量に応じて、頻繁に室内用集塵装置がオン／オフを繰り返し、起動時の騒音により使用者が不快な思いをすることなく、人の活動によって発生する塵埃を集塵気流１０によって集塵手段８へ導いて効果的に集塵することができる。
【００４０】
なお、本実施の形態においては、室内用集塵装置を、送風手段７ａ〜７ｃの３台と、集塵装置８の１台で構成したが、これは部屋の大きさ、形状など、必要に応じて適宜選定できるものであり、実施の形態そのものの構成に限られるものではない。
【００４１】
尚、上記第１の実施の形態においては、制御信号の送受信を無線で行うようにしたが、この構成に限定するものではなく、無線の代わりに赤外光を使用した赤外線通信を用いても同様の効果が得られるものである。
【００４２】
（実施の形態２）
図４は、本発明の第２の実施の形態における室内用集塵装置の集塵手段と送風手段のブロック図、図５は、同室内用集塵装置の動作フローを示す図である。尚、上記第１の実施の形態における室内用集塵装置と同一部分には同一符号を付してその構成、動作の説明を省略する。
【００４３】
本実施の形態における室内用集塵装置は、図４に示すように、集塵手段８に塵埃検知部８７が、また、送風手段７ａに塵埃検知部７４がそれぞれ追加されたもので、他の構成は、上記実施の形態１と同じである。
【００４４】
塵埃検知部８７及び７４は、集塵手段８及び送風手段７ａで吸気した空気内の塵埃の量を検知するものである。塵埃検知部８７及び７４は、実際には、クリーンルーム等で使用されるパーティクルカウンタのようにレーザー光（または赤外光）を照射し、塵埃による散乱光のレベルを認識することで、塵埃の量を検知している。
【００４５】
また、送風手段７ａの塵埃検知部７４の検知結果は第２通信部７１を通じて、定期的に制御手段９に送信されている。
【００４６】
以上のように構成された本実施の形態における室内用集塵装置について、以下その動作、作用を説明する。
【００４７】
まず、室内用集塵装置の集塵手段８を起動すると、人検知手段８ａにより人の存在または動きの有無の検知が開始される（ステップ１１）。人検知手段８ａにより、人の存在または動きが検知されると、予め設定された第１の所定時間（例えば２秒間）の間の人検知手段８ａによる人の存在または動きの検知回数を計測する（ステップ１２）。この第１の所定時間内の人の検知回数に応じて制御手段９は、室内用集塵装置本体の所定の動作時間と停止後の所定の動作禁止時間を決定する（ステップ１３）（例えば、第１の所定時間内に人を検知した回数が１回、２回、３回以上で、それぞれ所定の動作時間を３分、５分、７分、また、所定の動作禁止時間をそれぞれ３分、２分、１分と設定する）。その後、制御手段９は、送風手段７ａ、７ｂ、７ｃ及び、集塵手段８を動作させる（ステップ１４）。
【００４８】
これにより送風手段７ａ、７ｂ、７ｃと集塵手段８は、互いに発生させる気流が打ち消しあわない様に予め設定（部屋の大きさ、家具のレイアウト情報により設定）された風量及び風向で集塵気流１０を発生させる。
【００４９】
送風手段７ａ、７ｂ、７ｃと集塵手段８による集塵気流１０の発生後、制御手段９は、ステップ１３で決定した所定の動作時間が経過したか否かを判断する（ステップ１５）。所定の動作時間が経過したら送風手段７ａ、７ｂ、７ｃと集塵手段８の運転を停止させる（ステップ１６）。
【００５０】
さらに、同様にステップ１３で決定した所定の動作禁止時間が経過したか否かを判断する（ステップ１７）。所定の動作禁止時間が経過したら、最初のステップ１１の人の検知待ち動作に戻る。一方、ステップ１１で人を検知しなかった場合、塵埃検知部８７、７４により塵埃の検知状態を確認し（ステップ１９）、塵埃を検知した場合、制御手段９は、送風手段７ａ、７ｂ、７ｃ及び、集塵手段８の動作条件を決定し（ステップ２０）、送風手段７ａ、７ｂ、７ｃ及び、集塵手段８を動作させる（ステップ１４）。
【００５１】
ここで塵埃検知部７４及び８７の検知状態による集塵気流１０の違いについて説明する。
集塵手段８の塵埃検知部８７のみが塵埃を検知した場合を通常状態として、集塵手段８の付近で発生していると想定される塵埃を、集塵気流１０で、部屋の空気を良く循環させて効率的に集塵手段８に集塵されるように、送風手段７ａ、７ｂ、７ｃは設置された場所に於いて、自ら発生する気流と集塵手段８の気流とが、互いに打ち消しあわない様に部屋の大きさ、家具のレイアウト情報により予め設定された風量及び風向で動作条件が設定される。
【００５２】
また、送風手段７ａの塵埃検知部７４のみが塵埃を検知した場合、塵埃は、部屋の中で送風手段７ａの付近で発生していると想定され、送風手段７ａ付近の空気を集塵気流１０で良く部屋内を循環するように送風手段７ａの風量は、送風手段７ｂ、７ｃの風量より多めに設定される。
【００５３】
また、送風手段７ａの塵埃検知部７４と集塵手段８の塵埃検知部８７の両方で塵埃を検知した場合、部屋の広い範囲で塵埃が発生していると想定され、送風手段７ａ、７ｂ、７ｃ及び集塵手段８の風量が通常より多めに設定される。
【００５４】
また、ステップ１９で塵埃が検知されなかった場合は、ステップ１１の人の検知待ち動作に戻る。
【００５５】
さらに、ステップ１７で、ステップ１３において決定した所定の動作禁止時間の経過待ちの状態で、塵埃検知部８７、７４により検知した塵埃が予め設定された所定量より多い
場合（ステップ１８）、制御手段９は、送風手段７ａ、７ｂ、７ｃ及び、集塵手段８を通常の動作条件で動作させる（ステップ１４）。一方、検知しなかった場合は、ステップ１７の所定の動作禁止時間の経過待ちの状態に戻る。
【００５６】
以上のように、本実施の形態においては、複数の塵埃検知部８７、７４により塵埃の量を検知し、塵埃を検知した場所及び検知した量に応じて各手段の制御を変更することにより、発生箇所に応じた適切な集塵気流を生成し、動作させて発生した塵埃に迅速に対応しかつ、集塵気流１０により効果的に集塵することができる。また、所定の動作禁止時間中において、塵埃検知部８７、７４の検知した塵埃の量が所定量以上である場合に、前記送風手段７ａ、７ｂ、７ｃと集塵手段８を再動作させ、所定量以上の多くの塵埃の発生に迅速に対応し、集塵気流１０によって、塵埃を集塵手段８へ導き効果的に集塵することができる。
【００５７】
尚、上記実施の形態２においては、送風手段７ａのみに塵埃検知部７４を設けたが、他の送風手段７ｂ、７ｃに塵埃検知部７４を設けても良く、例えば、送風手段７ｃにのみ塵埃検知部７４を設けた場合、実施の形態２の説明とは逆に、送風手段７ｃのみ風量を増やす。又は全ての送風手段７ａ、７ｂ、７ｃに塵埃検知部７４を設け、例えば、全ての塵埃検知部７４で塵埃を検知した場合、何れか一つの塵埃検知部７４で検知した場合より全ての送風手段７ａ、７ｂ、７ｃ、集塵手段８の風量を増やすようにすれば、塵埃の発生箇所に応じた適切な集塵気流１０を生成し、発生した塵埃に迅速に対応しかつ、集塵気流１０により効率よく集塵することができるものである。
【００５８】
又、実施の形態１、２で説明した集塵手段８、送風手段７ａ〜７ｃのそれぞれを、ＣＰＵ（またはマイコン）、ＲＡＭ、ＲＯＭ、記憶・記録装置、Ｉ／Ｏなどを備えた電気・情報機器、コンピュータ、サーバーなどのハードリソースを協働させるプログラムの形態で実施させるようにしても良い。
【００５９】
プログラムの形態であれば、磁気メディアや光メディアなどの記録媒体に記録したりインターネットなどの通信回路を用いて配信したりすることで新しい機能の配布・更新やそのインストール作業が簡単にできる。
【産業上の利用可能性】
【００６０】
以上のように、本発明にかかる室内用集塵装置は、気流によって比較的軽い塵埃を自動で効率よく集塵することができるため、利便性に優れたもので、各種の集塵装置に適用できる。
【図面の簡単な説明】
【００６１】
【図１】本発明の実施の形態１における室内用集塵装置を設けた室内の斜視図
【図２】（ａ）同室内用集塵装置の集塵手段のブロック図（ｂ）同室内用集塵装置の送風手段のブロック図
【図３】同室内用集塵装置の動作フローを示す図
【図４】（ａ）本発明の実施の形態２における室内用集塵装置の集塵手段のブロック図（ｂ）同室内用集塵装置の送風手段のブロック図
【図５】同室内用集塵装置の動作フローを示す図
【図６】従来の室内用集塵装置を設置した室内空間の側方から見た図
【符号の説明】
【００６２】
７ａ〜７ｃ  送風手段
８  集塵手段
８ａ  人検知手段
９  制御手段
１０  集塵気流
【図２】
2010247007.tif 000003
【図３】
2010247007.tif 000004
【図４】
2010247007.tif 000005
【図５】
2010247007.tif 000006
【図６】
2010247007.tif 000007
【図１】
2010247007.tif 000008